(57)【要約】【課題】プラズマディスプレイパネルの駆動時に駆動マージンを確保し、切り換え素子の部品のバラツキによる電流及び発熱特性を改善させられるプラズマディスプレイ装置及びその駆動方法を提供する。【解決手段】本発明に係るプラズマディスプレイ装置は、走査電極及び維持電極を含むプラズマディスプレイパネルと、リセット期間中に走査電極に第１の電圧まで下がる第１の立下りパルスを供給し、アドレス期間中に走査電極に走査パルスを印加する走査駆動部と、維持電極に正の電圧を供給していて、リセット期間の後半に第２の電圧まで下がる第２の立下りパルスを印加する維持駆動部と、を含む。【選択図】図６
2006189847.tif 000002
【特許請求の範囲】
【請求項１】
走査電極及び維持電極を含むプラズマディスプレイパネルと、
リセット期間中に前記走査電極に第１の電圧まで下がる第１の立下りパルスを供給し、アドレス期間中に前記走査電極に走査パルスを印加する走査駆動部と、
前記維持電極に正の電圧を供給し、前記リセット期間の後半に第２の電圧まで下がる第２の立下りパルスを印加する維持駆動部と、
を含むことを特徴とするプラズマディスプレイ装置。
【請求項２】
前記第２の立下りパルスは、勾配を有するランプパルスであることを特徴とする請求項１記載のプラズマディスプレイ装置。
【請求項３】
前記第２の立下りパルスの勾配は、前記第１の立下りパルスの勾配と同じであることを特徴とする請求項２記載のプラズマディスプレイ装置。
【請求項４】
前記リセット期間の後半期間は、１μｓ以上、５０μｓ以下であることを特徴とする請求項１記載のプラズマディスプレイ装置。
【請求項５】
前記第２の立下りパルスは、前記維持電極が浮遊状態になって形成されることを特徴とする請求項１記載のプラズマディスプレイ装置。
【請求項６】
前記第１の電圧は、前記走査パルス電圧と同じであることを特徴とする請求項１記載のプラズマディスプレイ装置。
【請求項７】
前記第１の電圧は、前記走査パルスの電圧よりも高いことを特徴とする請求項１記載のプラズマディスプレイ装置。
【請求項８】
走査電極及び維持電極を含むプラズマディスプレイパネルと、
リセット期間中に前記走査電極に第１の電圧まで下がり、所定の期間中に保持される第１の立下りパルスを供給し、アドレス期間中に前記走査電極に走査パルスを印加する走査駆動部と、
前記維持電極に正の電圧を供給し、第１の期間中に第２の電圧まで下がり、第２の期間中に保持される第２の立下りパルスを印加する維持駆動部と、
を含むことを特徴とするプラズマディスプレイ装置。
【請求項９】
前記第１の電圧は、前記走査パルスの電圧と同じであることを特徴とする請求項８記載のプラズマディスプレイ装置。
【請求項１０】
前記第２の立下りパルスは、勾配を有するランプパルスであることを特徴とする請求項８記載のプラズマディスプレイ装置。
【請求項１１】
前記第２の立下りパルスの勾配は、前記第１の立下りパルスの勾配と同じであることを特徴とする請求項１０記載のプラズマディスプレイ装置。
【請求項１２】
前記第２の立下りパルスの第２の期間は、前記第１の立下りパルスが保持される所定の期間と同じであることを特徴とする請求項８記載のプラズマディスプレイ装置。
【請求項１３】
前記第２の立下りパルスの第２の期間は、１μｓ以上、５０μｓ以下であることを特徴とする請求項１２記載のプラズマディスプレイ装置。
【請求項１４】
前記第２の立下りパルスは、前記維持電極が浮遊状態になって形成されることを特徴とする請求項８記載のプラズマディスプレイ装置。
【請求項１５】
複数のサブフィールドがそれぞれリセット期間、アドレス期間及び維持期間に分けて駆動されるプラズマディスプレイ装置の駆動方法において、
前記リセット期間中に走査電極に第１の電圧まで下がる第１の立下りパルスを供給し、維持電極に正の電圧を供給すると共に、前記リセット期間の後半に第２の電圧まで下がる第２の立下りパルスを前記維持電極に供給する段階と、
前記アドレス期間中に前記走査電極に走査パルスを印加する段階と、
を含むことを特徴とするプラズマディスプレイ装置の駆動方法。
【請求項１６】
前記第２の立下りパルスの勾配は、前記第１の立下りパルスの勾配と同じであることを特徴とする請求項１５記載のプラズマディスプレイ装置の駆動方法。
【請求項１７】
前記リセット期間の後半期間は、１μｓ以上、５０μｓ以下であることを特徴とする請求項１５記載のプラズマディスプレイ装置の駆動方法。
【請求項１８】
前記第２の立下りパルスは、前記維持電極が浮遊状態になってから形成されることを特徴とする請求項１５記載のプラズマディスプレイ装置の駆動方法。
【請求項１９】
前記第１の電圧は、前記走査パルスの電圧と同じであることを特徴とする請求項１５記載のプラズマディスプレイ装置の駆動方法。
【請求項２０】
前記第１の電圧は、前記走査パルスの電圧よりも高いことを特徴とする請求項１５記載のプラズマディスプレイ装置の駆動方法。
【発明の詳細な説明】
【技術分野】
【０００１】
本発明は、プラズマディスプレイ装置及びその駆動方法に関する。
【背景技術】
【０００２】
一般に、プラズマディスプレイパネル（Plasma Display Panel:以下、「ＰＤＰ」という）は、Ｈｅ＋ＸｅまたはＮｅ＋Ｘｅなどの不活性混合ガスの放電時に発生する１４７ｎｍの紫外線によって蛍光体を発光させることにより、文字またはグラフィックを含む画像を表示する。
【０００３】
図１は、従来の３電極交流面放電型ＰＤＰの構造を示す斜視図である。
【０００４】
同図に示すように、従来の３電極交流面放電型ＰＤＰは、上部基板１０上に形成された走査電極１１及び維持電極１２と、下部基板２０上に形成されたアドレス電極２２と、を備える。走査電極１１と維持電極１２のそれぞれは、透明電極、例えばインジウムスズ酸化物(Indium-Tin-Oxide：ＩＴＯ)１１ａ，１２ａよりなる。走査電極１１と維持電極１２のそれぞれには抵抗を減らすためのバス電極１１ｂ，１２ｂが形成される。走査電極１１と維持電極１２が形成された上部基板１０には上部誘電体層１３ａと保護膜１４が積層される。上部誘電体層１３ａにはプラズマ放電時に発生する壁電荷が蓄積される。保護膜１４はプラズマ放電時に発生するスパッタリングによる上部誘電体層１３ａの損傷を防止すると共に、２次電子の放出効率を高める。保護膜１４は通常酸化マグネシウム（ＭｇＯ）よりなる。
【０００５】
アドレス電極２２が形成された下部基板２０上には下部誘電体層１３ｂ、隔壁２１が形成され、下部誘電体層１３ｂと隔壁２１の表面には蛍光体層２３が塗布される。アドレス電極２２は走査電極１１及び維持電極１２と交差するように形成される。隔壁２１はアドレス電極２２と並んで形成され、放電によって生成された紫外線及び可視光が隣接する放電セルに漏洩することを防止する。蛍光体層２３はプラズマ放電時に発生する紫外線により励起され、赤色、緑または青色のいずれかの一つの可視光線を発生する。上／下部基板１０，２０と隔壁２１との間に設けられた放電セルの放電空間には、放電のためのＨｅ＋ＸｅまたはＮｅ＋Ｘｅなどの不活性混合ガスが注入される。このような構造を有する従来のＰＤＰの画像階調を表現する方法を説明すると、次の図２のようになる。
【０００６】
図２は、従来のプラズマディスプレイパネルの画像階調を表現する方法を示す図である。同図に示すように、プラズマディスプレイパネルの画像階調は、１フレームを発光回数の異なる複数のサブフィールドに分けて駆動している。各サブフィールドは、放電を均一に起こすためのリセット期間と、放電セルを選択するためのアドレス期間と、放電回数によって階調を具現する維持期間とに分けられる。例えば、２５６階調で画像を表示しようとする場合、１／６０秒にあたるフレーム期間１６．６７ｍｓは８つのサブフィールドに分割される。さらに、８つのサブフィールドのそれぞれはアドレス期間と維持期間とに分けられる。ここで、各サブフィールドのリセット期間及びアドレス期間は、各サブフィールドごとに同一である反面、維持期間は各サブフィールドにおいて２ｎ（ｎ＝０，１，２，３，４，５，６，７）の割合で増加する。このようなプラズマディスプレイパネルの駆動方法による駆動パルスを説明すると、次の図３のようになる。
【０００７】
図３は、従来のプラズマディスプレイパネルの駆動方法による駆動パルスを示す図である。同図に示すように、プラズマディスプレイパネルは、全画面を初期化するためのリセット期間と、放電するセルを選択するためのアドレス期間と、選択されたセルの放電を保持するための維持期間と、放電されたセル内の壁電荷を消去するための消去期間とに分けられて駆動される。
【０００８】
リセット期間において、セットアップ期間にはすべての走査電極Ｙに立上りランプパルスＲａｍｐ−ｕｐが同時に印加される。この立上りランプパルスによって全画面のセル内では放電が起きる。このセットアップ放電によってアドレス電極Ｘと維持電極Ｚ上には正（＋）の壁電荷が蓄積され、走査電極Ｙ上には負（−）の壁電荷が蓄積される。セットダウン期間には、立上りランプパルスが供給された後、立上りランプパルスのピーク電圧よりも低い正（＋）の電圧から下がりはじめグランドＧＮＤレベル電圧以下の特定の電圧レベル−Ｖｗまで下がる立下りランプパルスＲａｍｐ−ｄｏｗｎが、セル内で微弱な消去放電を起こすことにより余剰壁電荷を十分に消去する。このセットダウン放電により、安定したアドレス放電が発生するのに必要な壁電荷がセル内に均一に残留する。
【０００９】
アドレス期間には、負（−）の電圧−Ｖｙの走査パルスＳｃａｎが走査電極Ｙに順次に印加されると共に、走査パルスに同期してアドレス電極Ｘに正（＋）の電圧のデータパルスｄａｔａが印加される。この走査パルスとデータパルスの電圧差と初期化期間に生成された壁電圧が加えられることにより、データパルスが印加されるセル内ではアドレス放電が生じる。アドレス放電によって選択されたセル内には、維持電圧Ｖｓの印加時に放電が発生するのに必要な壁電荷が形成される。維持電極には、セットダウン期間とアドレス期間中に走査電極との電圧差を減らして走査電極Ｙとの間での誤放電を防止するような正（＋）の電圧Ｖｚが供給される。
【００１０】
維持期間には、走査電極Ｙと維持電極Ｚに維持パルスｓｕｓが交互に印加される。アドレス放電によって選択されたセルでは、セル内の壁電圧と維持パルスが加えられることにより、各維持パルスが印加される度に走査電極Ｙと維持電極Ｚとの間で維持放電、すなわち表示放電が起こる。
【００１１】
維持放電が完了後、消去期間では短パルス幅と低電圧レベルを有する消去ランプパルスＲａｍｐ−ｅｒｓの電圧が維持電極Ｚに供給されることにより、全画面のセル内に残留している壁電荷が消去される。
【００１２】
一方、このように駆動される従来のプラズマディスプレイパネルのリセット期間における壁電荷の変化を説明すると、次の図４のようになる。
【００１３】
図４は、従来のプラズマディスプレイパネルのリセット期間における壁電荷変化を示す図である。図４を参照すれば、（ａ）はリセット期間のセットアップ期間における壁電荷状態を示し、（ｂ）はリセット期間のセットダウン期間における壁電荷状態を示す。先ず、セットアップ期間に走査電極Ｙに立上りランプパルスが供給されるに伴い、走査電極Ｙには負の壁電荷が、維持電極Ｚとアドレス電極Ｘには正の壁電荷がそれぞれ蓄積される。その後、セットダウン期間に走査電極Ｙに立下りランプパルスが供給されるに伴い、電圧の極性が変わり、不均一で余剰生成された壁電荷の一部が減ることになる。このとき、コントラスト特性を低下させる暗放電が発生する。一般に、このコントラスト特性を低下させる放電は、透明電極を介してセル全面積にわたって走査電極Ｙと維持電極Ｚとの間で発生する面放電である。このため、従来のプラズマディスプレイパネルは、駆動時、セットダウン期間が終わる特定電圧のレベル−Ｖｗを、アドレス期間の走査電極Ｙに走査パルスが印加される負（−）の電圧−Ｖｙよりも高く設定することにより、走査電極Ｙと維持電極Ｚとの間で生じる面放電を減らしてコントラスト特性の向上を図った。
【００１４】
しかし、セットダウン期間が終わる特定電圧のレベル−Ｖｗを、アドレス期間の走査電極Ｙに走査パルスが印加される負（−）の電圧−Ｖｙよりも高く設定するためには、別途の特定電圧源−Ｖｗをさらに備えるか、あるいは特定電圧のレベル−Ｖｗで電圧降下を止める動作回路をさらに備える必要があり、これは製造コストアップの要因となる。
【発明の開示】
【発明が解決しようとする課題】
【００１５】
本発明は、上記事情に鑑みてなされたものであり、その目的は、プラズマディスプレイパネルの駆動時に駆動マージンを確保し、切り換え素子の部品のバラツキによる電流特性及び発熱特性を改善させられるプラズマディスプレイ装置及びその駆動方法を提供することにある。
【課題を解決するための手段】
【００１６】
本発明に係るプラズマディスプレイ装置は、走査電極及び維持電極を含むプラズマディスプレイパネルと、リセット期間中に走査電極に第１の電圧まで下がる第１の立下りパルスを供給し、アドレス期間中に走査電極に走査パルスを印加する走査駆動部と、維持電極に正の電圧を供給していて、リセット期間の後半に第２の電圧まで下がる第２の立下りパルスを印加する維持駆動部と、を含む。
【００１７】
第２の立下りパルスは、勾配を有するランプパルスであることを特徴とする。
【００１８】
第２の立下りパルスの勾配は、第１の立下りパルスの勾配と同じであることを特徴とする。
【００１９】
リセット期間の後半期間は、１μｓ以上、５０μｓ以下であることを特徴とする。
【００２０】
第２の立下りパルスは、維持電極が浮遊状態になってから形成されることを特徴とする。
【００２１】
第１の電圧は、前記走査パルス電圧と同じであることを特徴とする。
【００２２】
第１の電圧は、前記走査パルスの電圧よりも高いことを特徴とする。
【００２３】
本発明に係る他のプラズマディスプレイ装置は、走査電極及び維持電極を含むプラズマディスプレイパネルと、リセット期間中に走査電極に第１の電圧まで下がっていて、所定の期間中に保持される第１の立下りパルスを供給し、アドレス期間中に走査電極に走査パルスを印加する走査駆動部と、維持電極に正の電圧を供給し、第１の期間中に第２の電圧まで下がっていて、第２の期間中に保持される第２の立下りパルスを印加する維持駆動部と、を含む。
【００２４】
第１の電圧は、前記走査パルスの電圧と同じであることを特徴とする。
【００２５】
第２の立下りパルスは、勾配を有するランプパルスであることを特徴とする。
【００２６】
第２の立下りパルスの勾配は、前記第１の立下りパルスの勾配と同じであることを特徴とする。
【００２７】
第２の立下りパルスの第２の期間は、第１の立下りパルスが保持される所定の期間と同じであることを特徴とする。
【００２８】
第２の立下りパルスの第２の期間は、１μｓ以上、５０μｓ以下であることを特徴とする。
【００２９】
第２の立下りパルスは、維持電極が浮遊状態になってから形成されることを特徴とする。
【００３０】
本発明に係るプラズマディスプレイ装置の駆動方法は、リセット期間中に走査電極に第１の電圧まで下がる第１の立下りパルスを供給し、維持電極に正の電圧を供給していて、リセット期間の後半に第２の電圧まで下がる第２の立下りパルスを供給する段階と、アドレス期間中に前記走査電極に走査パルスを印加する段階と、を含む。
【発明の効果】
【００３１】
本発明によれば、プラズマディスプレイパネルの駆動時に切り換え素子の部品のバラツキ及び駆動特性などの差による電流特性及び発熱特性の不均衡を改善させ、さらに駆動マージンを向上させることができる。
【発明を実施するための最良の形態】
【００３２】
以下、本発明による具体的な実施例を添付図を参照して説明する。
【００３３】
図５は、本発明に係るプラズマディスプレイ装置を示す図である。図５を参照すれば、本発明に係るプラズマ表示装置は、プラズマディスプレイパネル１００と、プラズマディスプレイパネル１００の下部基板（図示せず）に形成されたアドレス電極Ｘ１〜Ｘｍにデータを供給するためのデータ駆動部１２２と、走査電極Ｙ１〜Ｙｎを駆動するための走査駆動部１２３と、共通電極である維持電極Ｚを駆動するための維持駆動部１２４と、プラズマディスプレイパネルの駆動時にデータ駆動部１２２、走査駆動部１２３、維持駆動部１２４を制御するためのタイミング制御部１２１と、それぞれの駆動部１２２，１２３，１２４に必要な駆動電圧を供給するための駆動電圧発生部１２５と、を含む。
【００３４】
プラズマディスプレイパネル１００は、上部基板（図示せず）と下部基板（図示せず）が所定の間隔を開けて配置されており、上部基板には多数の電極、例えば走査電極Ｙ１〜Ｙｎ及び維持電極Ｚが対をなして配設されており、下部基板には走査電極Ｙ１〜Ｙｎ及び維持電極Ｚと交差するアドレス電極Ｘ１〜Ｘｍが配設されている。
【００３５】
データ駆動部１２２には、図示しない逆γ補正回路、誤差拡散回路などによって逆γ補正及び誤差拡散された後、サブフィールドマッピング回路により各サブフィールドにマッピングされたデータが供給される。このようなデータ駆動部１２２は、タイミング制御部１２１からのタイミング制御信号ＣＴＲＸに応答してデータをサンプリングしてラッチし、その後、そのデータをアドレス電極Ｘ１〜Ｘｍに供給する。
【００３６】
走査駆動部１２３は、タイミング制御部１２１の制御下でリセット期間中に立上りランプパルスＲａｍｐ−ｕｐと立下りランプパルスＲａｍｐ−ｄｏｗｎを走査電極Ｙ１〜Ｙｎに供給する。また、走査駆動部１２３は、タイミング制御部１２１の制御下でアドレス期間中に走査電圧−Ｖｙの走査パルスＳｐを走査電極Ｙ１〜Ｙｎに順次に供給する。また、 走査駆動部１２３は、エネルギー回収回路（図示せず）を含み、タイミング制御部１２１の制御下で維持期間中に、維持電圧まで上がる維持パルスを走査電極Ｙ１〜Ｙｎに供給する。
【００３７】
維持駆動部１２４は、走査駆動部１２３と同様にエネルギー回収回路（図示せず）を含み、タイミング制御部１２１の制御下で維持期間中に維持パルスｓｕｓを維持電極Ｚに供給する。このとき、維持駆動部１２４に含まれたエネルギー回収回路は、走査電極駆動部１２３に含まれたエネルギー回収回路と同じ構造を有し、走査電極駆動部１２３に含まれたエネルギー回収回路と交互に動作する。
【００３８】
タイミング制御部１２１は、垂直／水平同期信号とクロック信号を入力され、リセット期間、アドレス期間、維持期間で各駆動部１２２，１２３，１２４の動作タイミングと同期化を制御するためのタイミング制御信号ＣＴＲＸ，ＣＴＲＹ，ＣＴＲＺを発生し、そのタイミング制御信号ＣＴＲＸ，ＣＴＲＹ，ＣＴＲＺを該当駆動部１２２，１２３，１２４に供給することにより、各駆動部１２２，１２３，１２４を制御する。
【００３９】
一方、データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１２３内のエネルギー回収回路と駆動スィッチ素子のＯＮ／ＯＦＦタイムを制御するためのスィッチ制御信号が含まれ、維持制御信号ＣＴＲＺには、維持駆動部１２４内のエネルギー回収回路と駆動スィッチ素子のＯＮ／ＯＦＦタイムを制御するためのスィッチ制御信号が含まれる。
【００４０】
駆動電圧発生部１２５は、セットアップ電圧Ｖｓｅｔｕｐ、走査共通電圧Ｖｓｃａｎ−ｃｏｍ、走査電圧−Ｖｙ、維持電圧Ｖｓ、データ電圧Ｖｄなどを発生する。このような駆動電圧は放電ガスの組成や放電セルの構造によって変わることができる。
【００４１】
このような本発明に係るプラズマディスプレイ装置は、リセット期間、アドレス期間、維持期間に分けられたサブフィールドの複数個を組み合わせることによって画面表示を実現する。
【００４２】
図６は、本発明に係るプラズマディスプレイ装置の第１の駆動方法を説明するための図である。
【００４３】
同図に示すように、本発明のプラズマディスプレイ装置による第１の駆動方法によれば、先ず、リセット期間に全走査電極Ｙに立上りランプパルスＲａｍｐ−ｕｐが同時に印加されて全画面のセル内ではセットアップ放電が発生する。このセットアップ放電により、アドレス電極Ｘと維持電極Ｚ上には正（＋）の壁電荷が蓄積され、走査電極Ｙ上には負（−）の壁電荷が蓄積される。その後、走査電極Ｙに、立上りランプパルスのピーク電圧よりも低い正（＋）の電圧から下がりはじめ、グランドＧＮＤレベル電圧以下の第１の電圧−Ｖｗまで下がる第１の立下りランプＲａｍｐ−ｄｏｗｎパルスが供給され、このときの第１の電圧−Ｖｗは、後述するアドレス期間に走査電極Ｙに供給される走査パルスの電圧−Ｖｙと同じである。
【００４４】
また、維持電極Ｚには正の電圧Ｖｚを供給していて、リセット期間の後半ｔ０〜ｔ１に所定の勾配をもって下がる第２の立下りランプパルスが供給される。このとき、第２の立下りパルスの勾配は、走査電極Ｙに供給される第１の立下りランプパルスの勾配と等しく設定される。このような第２の立下りパルスは別途の回路を構成して具現することができるが、好ましくは、リセット期間の後半ｔ０〜ｔ１に維持電極Ｚを浮遊(floating)処理して生成する。このとき、浮遊処理期間ｔ０〜ｔ１、すなわち維持電極Ｚに供給される前記第２の立下りパルスが印加されるリセット期間の後半ｔ０〜ｔ１期間は、１μｓ〜５０μｓの範囲を有する。
【００４５】
このように、リセット期間の後半に維持電極Ｚを浮遊処理すると、走査電極Ｙと維持電極Ｚ間に発生する暗放電、すなわちコントラスト特性を低下させる壁電荷消去放電を止めることができる。
【００４６】
アドレス期間には、負（−）の電圧−Ｖｙの走査パルスＳｃａｎが走査電極Ｙに順次に印加されると共に、走査パルスに同期してアドレス電極Ｘに正（＋）の電圧のデータパルスｄａｔａが印加される。このとき、走査パルスの負の電圧−Ｖｙは、上記の如くリセット期間の第１の立下りランプパルスの第１の電圧−Ｖｗと同じ電圧として走査電極Ｙに供給される。この走査パルスとデータパルスの電圧差と初期化期間に生成された壁電圧が加えられることにより、データパルスが印加されるセル内ではアドレス放電が発生する。アドレス放電によって選択されたセル内には維持電圧Ｖｓの印加時に放電が発生するのに必要な壁電荷が形成される。一方、維持電極Ｚには、第１の立下りランプパルスの走査電極Ｙへの供給時に印加される正の電圧Ｖｚが供給され、このため、維持電極Ｚと走査電極Ｙとの間では誤放電が発生しなくなる。
【００４７】
維持期間には、従来と同様に、走査電極Ｙと維持電極Ｚに維持パルスｓｕｓが交互に印加される。これにより、アドレス放電によって選択されたセルはセル内の壁電圧と維持パルスが加えられることにより、各維持パルスが印加される度に走査電極Ｙと維持電極Ｚの間で維持放電、すなわち表示放電が起こる。
【００４８】
維持放電が完了後、消去期間では、短パルス幅と低電圧レベルを有する消去ランプパルスＲａｍｐ−ｅｒｓの電圧が維持電極に供給されることで、全画面のセル内に残留している壁電荷が消去される。
【００４９】
以上、本発明のプラズマディスプレイ装置の第１の駆動方法は、リセット期間で発生する暗放電を止めることでコントラスト特性を向上させることができ、さらに走査電極に供給される第１の立下りランプパルスの最低電圧と、アドレス期間に走査電極に供給される走査パルスの電圧とを等しくすることにより、別途の回路部が不要になり、製造コストの節減を図ることができる。
【００５０】
図７は、本発明に係るプラズマディスプレイ装置の第２の駆動方法を説明するための図である。
【００５１】
同図に示すように、本発明に係るプラズマディスプレイ装置の第２の駆動方法によれば、先ず、リセット期間に全走査電極に立上りランプパルスＲａｍｐ−ｕｐが同時に印加され、所定の期間中に保持されて全画面のセル内ではセットアップ放電が起こる。このセットアップ放電によってアドレス電極と維持電極上には正（＋）の壁電荷が蓄積され、走査電極上には負（−）の壁電荷が蓄積される。その後、走査電極に立上りランプパルスのピーク電圧よりも低い正（＋）の電圧から下がりはじめ、グランドＧＮＤレベル電圧以下の第１の電圧−Ｖｗまで下がっていて、所定の期間中に保持される第１の立下りランプＲａｍｐ−ｄｏｗｎパルスが供給される。このときの第１の電圧−Ｖｗは、後述するアドレス期間に走査電極に供給される走査パルスの電圧−Ｖｙと同じである。
【００５２】
また、維持電極には、正の電圧Ｖｚを供給し、第１の期間ｔ０〜ｔ１中に第２の電圧−Ｖｗ’まで下がっていて、第２の期間ｔ１〜ｔ２中に保持される第２の立下りランプパルスが供給される。このとき、第２の立下りランプパルスは所定の勾配を有し、第２の立下りランプパルスの勾配は、走査電極に供給される第１の立下りランプパルスの勾配と等しく設定される。このような第２の立下りランプパルスは別途の回路を構成して具現することができるが、好ましくは、維持電極に正の電圧Ｖｚを供給していて、第１の期間ｔ０〜ｔ１中に浮遊処理して第２の立下りランプパルスを生成する。
【００５３】
浮遊処理後、第２の電圧−Ｖｗ’を一定に保持する第２の期間ｔ１〜ｔ２は、走査電極に第１の電圧−Ｖｗまで下がっていて、所定の期間中に保持される第１の立下りランプパルスが供給される所定の期間と同じである。第２の立下りランプパルスの第２の期間は、１μｓ〜５０μｓの範囲を有する。
【００５４】
このように、維持電極に第２の電圧−Ｖｗ’が第２の期間ｔ１〜ｔ２中に連続的に供給されると、走査電極と維持電極との間で発生する暗放電、すなわち、コントラスト特性を低下させる壁電荷消去放電を止めることができるほか、その後、アドレス期間で安定したアドレス放電が発生するのに必要な壁電荷がセル内に安定して分布することができる。
【００５５】
アドレス期間には、負（−）の電圧−Ｖｙの走査パルスＳｃａｎが走査電極に順次に印加されると共に、走査パルスに同期してデータ電極に正（＋）の電圧のデータパルスｄａｔａが印加される。このとき、走査パルスの負の電圧−Ｖｙは、前述の如くリセット期間の第１の立下りランプパルスの第１の電圧−Ｖｗと同じ電圧で走査電極に供給される。この走査パルスとデータパルスの電圧差と初期化期間に生成された壁電圧が加えられることにより、データパルスが印加されるセル内ではアドレス放電が発生する。アドレス放電によって選択されたセル内には、維持電圧Ｖｓの印加時に放電が発生するのに必要な壁電荷が形成される。
【００５６】
維持電極には正の電圧Ｖｚが供給され、このため、維持電極と走査電極との間では誤放電が発生しなくなる。
【００５７】
維持期間には、従来と同様に、走査電極と維持電極に維持パルスｓｕｓが交互に印加される。これにより、アドレス放電によって選択されたセルはセル内の壁電圧と維持パルスが加えられることにより、各維持パルスが印加される度に走査電極と維持電極との間で維持放電、すなわち表示放電が起こる。
【００５８】
維持放電が完了後、消去期間には短パルス幅と低電圧レベルを有する消去ランプパルスＲａｍｐ−ｅｒｓの電圧が維持電極に供給されることにより、全画面のセル内に残留している壁電荷が消去される。
【００５９】
以上、本発明のプラズマディスプレイ装置による第２の駆動方法は、リセット期間で発生する暗放電を止めることでコントラスト特性を向上でき、さらに壁電荷のセル内への安定した分布を実現し、その結果、アドレス期間で安定したアドレス放電を行うことができる。また、本発明の第１の実施例と同様にして、リセット期間に走査電極に供給される第１の立下りランプパルスの第１の電圧を、アドレス期間に走査電極に供給される走査パルスの電圧と等しくすることにより、別途の回路部が不要になり、製造コストの節減を図ることができる。
【００６０】
図８は、本発明に係るプラズマディスプレイ装置の第３の駆動方法を説明するための図である。
【００６１】
同図に示すように、本発明に係るプラズマディスプレイ装置の第３の駆動方法によれば、本発明のプラズマディスプレイパネルの駆動パルスは、先ず、リセット期間に全走査電極に立上りランプパルスＲａｍｐ−ｕｐが同時に印加されて全画面のセル内ではセットアップ放電が起きる。このセットアップ放電によってアドレス電極と維持電極上には正（＋）の壁電荷が蓄積され、走査電極上には負（−）の壁電荷が蓄積される。その後、走査電極に立上りランプパルスのピーク電圧よりも低い正（＋）の電圧から下がりはじめ、グランドＧＮＤレベル電圧以下の第１の電圧−Ｖｗまで下がる第１の立下りランプＲａｍｐ−ｄｏｗｎパルスが供給される。このときの第１の電圧−Ｖｗは、後述するアドレス期間中に走査電極に供給される走査パルスの電圧−Ｖｙよりも高い。
【００６２】
また、維持電極には、正の電圧Ｖｚを供給していて、リセット期間の後半ｔ０〜ｔ１に下がる第２の立下りランプパルスが供給される。このとき、第２の立下りランプパルスの勾配は、走査電極に供給される第１の立下りランプパルスの勾配と等しく設定される。このような第２の立下りランプパルスは別途の回路を構成して具現することができるが、好ましくは、維持電極に正の電圧Ｖｚが供給されていて、リセット期間の後半ｔ０〜ｔ１に浮遊状態が保持されてから形成される。このとき、浮遊処理期間ｔ０〜ｔ１、すなわち維持電極に供給される前記第２の立下りランプパルスのリセット期間の後半期間ｔ０〜ｔ１は、１μｓ〜５０μｓの範囲を有する。
【００６３】
このように、走査電極に供給される第１の立下りランプパルスの第１の電圧−Ｖｗを、従来と同様にアドレス期間中に走査電極に供給される走査パルスの電圧−Ｖｙよりも高くし、同時にリセット期間の後半期間中に維持電極を浮遊処理すれば、走査電極と維持電極間で発生する暗放電、すなわちコントラスト特性を低下させる壁電荷消去放電を一層安定して止めることができ、これにより、その後アドレス期間で安定したアドレス放電が発生するのに必要な壁電荷がセル内に安定して分布できるようになる。
【００６４】
アドレス期間には、負（−）の電圧−Ｖｙの走査パルスＳｃａｎが走査電極に順次に印加されると共に、走査パルスに同期してデータ電極に正（＋）の電圧のデータパルスｄａｔａが印加される。このとき、走査パルスの負の電圧−Ｖｙは、前述の如くリセット期間の第１の立下りランプパルスの第１の電圧−Ｖｗよりも低い電圧として走査電極に供給される。この走査パルスとデータパルスの電圧差と初期化期間に生成された壁電圧が加えられることにより、データパルスが印加されるセル内ではアドレス放電が発生する。アドレス放電によって選択されたセル内には、維持電圧Ｖｓの印加時に放電が発生するのに必要な壁電荷が形成される。
【００６５】
一方、維持電極には、正の電圧Ｖｚが供給され、このため、維持電極と走査電極との間では誤放電が発生しなくなる。
【００６６】
維持期間には、従来と同様に走査電極と維持電極に維持パルスｓｕｓが交互に印加される。これにより、アドレス放電によって選択されたセルはセル内の壁電圧と維持パルスが加えられることにより、各維持パルスが印加される度に走査電極と維持電極との間で維持放電、すなわち表示放電が起こる。
【００６７】
維持放電が完了後、消去期間では短パルス幅と低電圧レベルを有する消去ランプパルスＲａｍｐ−ｅｒｓの電圧が維持電極に供給されることで、全画面のセル内に残留している壁電荷が消去される。
【００６８】
以上、本発明に係るプラズマディスプレイ装置の第３の駆動方法は、リセット期間で発生する暗放電を止めることによりコントラスト特性を向上させることができ、このため、その後アドレス期間で安定したアドレス放電が発生するのに必要な壁電荷がセル内に安定して分布できるようになる。
【図面の簡単な説明】
【００６９】
【図１】従来の３電極交流面放電型ＰＤＰの構造を示す斜視図である。
【図２】従来のプラズマディスプレイパネルの画像階調を表現する方法を示す図である。
【図３】従来のプラズマディスプレイパネルの駆動方法による駆動パルスを示す図である。
【図４】従来のプラズマディスプレイパネルのリセット期間における壁電荷の変化を示す図である。
【図５】本発明に係るプラズマディスプレイ装置を示す図である
【図６】本発明に係るプラズマディスプレイ装置の第１の駆動方法を説明するための図である。
【図７】本発明に係るプラズマディスプレイ装置の第２の駆動方法を説明するための図である。
【図８】本発明に係るプラズマディスプレイ装置の第３の駆動方法を説明するための図である。
【図１】
2006189847.tif 000003
【図２】
2006189847.tif 000004
【図３】
2006189847.tif 000005
【図４】
2006189847.tif 000006
【図５】
2006189847.tif 000007
【図６】
2006189847.tif 000008
【図７】
2006189847.tif 000009
【図８】
2006189847.tif 000010